(57)【要約】【課題】加湿作用と除菌消臭作用とを同時に行なう際に、気化手段に供給される液体の供給量を極力安定させ、これによって、前記気化手段において生成される気化液の湿度をより均一にすることを課題とする。【解決手段】筐体と、筐体に設けられた気体流路と、この気体流路の途中に設けられ、気流を発生させる送風手段と、気体流路に設けられ、液体を気化させる気化手段と、抗菌性物質が吸着された抗菌性物質坦持体を収納する抗菌剤収納手段とを備え、気化手段が、通気性および保液性を有する液体坦持体８と、この液体坦持体に液体Ｌを供給する液体供給手段とによって構成され、この液体供給手段が、液体を液体坦持体へ供給する液体供給路１４を備え、液体供給路の液体坦持体と対峙する部位に、液体供給路の流路を拡大するアキュムレーター１６が設けられ、このアキュムレーターに、液体を液体坦持体に供給する液体吐出孔１５が形成されている。【選択図】図１３
2015066034.tif 000002
【特許請求の範囲】
【請求項１】
空間に抗菌性物質を放出し、この抗菌性物質によって前記空間の除菌を行なうようにした空間除菌装置であって、筐体と、この筐体に設けられ、気体の吸気部と吐出部とを備えた気体流路と、この気体流路の途中に設けられ、この気体流路に、気流を発生させる送風手段と、前記気体流路に設けられ、液体を気化させる気化手段と、前記抗菌性物質が吸着された抗菌性物質坦持体を収納する抗菌剤収納手段とを備え、前記気化手段が、通気性および保液性を有する液体坦持体と、この液体坦持体に前記液体を供給する液体供給手段とによって構成され、この液体供給手段が、前記液体を前記液体坦持体へ供給する液体供給路を備え、この液体供給路の前記液体坦持体と対峙する部位に、この液体供給路の流路を拡大するアキュムレーターが設けられているとともに、このアキュムレーターに、前記液体を前記液体坦持体に供給する液体吐出孔が形成されていることを特徴とする空間除菌装置。
【請求項２】
前記液体吐出孔が、前記液体坦持体の上方に所定間隔をおいて配置され、前記液体を、前記液体坦持体に滴下含浸させるようになされていることを特徴とする請求項１に記載の空間除菌装置。
【請求項３】
前記液体吐出孔が、前記液体坦持体に接触するように配置され、前記液体を、前記液体坦持体に直接含浸させるようになされていることを特徴とする請求項１に記載の空間除菌装置。
【請求項４】
前記液体吐出孔が、前記アキュムレーターの壁部に穿設された貫通孔によって形成されていることを特徴とする請求項１ないし請求項３の何れかに記載の空間除菌装置。
【請求項５】
前記アキュムレーターが、一部が開口された中空状の基体と、この基体の開口部に取り付けられて、この開口部を閉塞する蓋体とからなり、この蓋体の周縁部に切り欠きが設けられ、この切り欠きと前記基体の壁面とで、前記液体吐出孔が形成されていることを特徴とする請求項１ないし請求項３の何れかに記載の空間除菌装置。
【発明の詳細な説明】
【技術分野】
【０００１】
本発明は、建築物の内部空間の空気の除菌を行なうようにした空間除菌装置であって、特に、大空間の除菌へも容易に対応可能な空間除菌装置に関するものである。
【背景技術】
【０００２】
一般に、建築物の内部空間の空気を加湿することにより、前記空気内に浮遊するウィルスの増殖を抑制することが提案されている。
【０００３】
このような空気を加湿する技術により、ある程度のウィルスの増殖抑制効果を期待できるようになったが、ウィルスをさらに減少させる積極的な除菌を行なうことが要望されている。
【０００４】
前述した要望に対応すべく従来では、筐体に、吸気口と排気口とを備えた気体流路を設け、この気体流路内に、気化器と、前記ウィルスを減少させるための除菌消臭剤を収納した除菌剤収納器、および、気流を発生させる送風ファンを設けておき、この送風ファンによって発生させられる前記気流によって、前記除菌剤収容器から放出される除菌消臭剤を、前記気化器において生成される気化液とともに、前記筐体の排気口から空気中に放出して、加湿作用と除菌消臭作用とを同時に行なって、空気中の除菌消臭効果を高めることが提案されている（特許文献１参照）。
【先行技術文献】
【特許文献】
【０００５】
【特許文献１】特開２０１２−１４９８１２号公報
【発明の概要】
【発明が解決しようとする課題】
【０００６】
前述した従来の技術によって、空気中の除菌消臭効果を高めることが可能となったが、なお、つぎのような改善すべき問題点が残されている。
【０００７】
すなわち、従来の技術では、気化用液体を気化器において気化させる際に、前記液体を、給液手段のポンプを用いて前記ハニカム吸湿板の上部に送り込むとともに、この液体を前記ハニカム吸湿体へ向けて滴下して含浸させた後、このハニカム吸湿板に風を透過させることによって、前記含浸された液体を気化させるようにしている。
【０００８】
しかしながら、前記液体を送り込むポンプの流量は脈動するのが一般的であることから、滴下供給される液体量も一定せず、この結果、前記ハニカム吸湿板に含浸させられる液体量が、前記ハニカム吸湿体の上下方向においてむらが生じるといった問題点である。
【０００９】
このような現象が生じると、前記ハニカム吸湿体の各部位において気化量が異なり、これによって、気化器から放出される気体の湿度が不安定になる。
【００１０】
本発明は、このような従来の問題点を解決すべく、加湿作用と除菌消臭作用とを同時に行なう際に、気化手段に供給される液体の供給量を極力安定させ、これによって、前記気化手段において生成される気化液の湿度をより均一にすることを解決課題とする。
【課題を解決するための手段】
【００１１】
本発明の空間除菌装置は、前述した課題を解決するために、空間に抗菌性物質を放出し、この抗菌性物質によって前記空間の除菌を行なうようにした空間除菌装置であって、筐体と、この筐体に設けられ、気体の吸気部と吐出部とを備えた気体流路と、この気体流路の途中に設けられ、この気体流路に、気流を発生させる送風手段と、前記気体流路に設けられ、液体を気化させる気化手段と、前記抗菌性物質が吸着された抗菌性物質坦持体を収納する抗菌剤収納手段とを備え、前記気化手段が、通気性および保液性を有する液体坦持体と、この液体坦持体に前記液体を供給する液体供給手段とによって構成され、この液体供給手段が、前記液体を前記液体坦持体へ供給する液体供給路を備え、この液体供給路の前記液体坦持体と対峙する部位に、この液体供給路の流路を拡大するアキュムレーターが設けられているとともに、このアキュムレーターに、前記液体を前記液体坦持体に供給する液体吐出孔が形成されていることを特徴とする。
【００１２】
本発明の空間除菌装置では、停止時において、前記送風手段が停止されて、前記気体流路内の気体の流れが停止させられ、また、前記抗菌剤収納手段において、収納されている抗菌性物質坦持体から抗菌性物質が前記気体流路内の気体中に放出され、また、前記気化手段に液体が供給されている。
【００１３】
この状態において装置を起動すると、前記液体が、前記液体供給手段の液体供給路の液体吐出孔を経て前記液体坦持体へ供給され、この液体坦持体全体に含浸させられるとともに、前記送風手段によって前記気体流路内に気流が発生させられ、この気流が、前記液体坦持体を透過させられて、この液体坦持体に含浸させられている前記液体が気化され、さらに、この気化液が前記気体中に放出されている前記抗菌性物質と混合されたのち空間へ放出されて、この空間の除菌消臭がなされる。
【００１４】
そして、前述した液体の供給に際し、この液体は、一旦、前記アキュムレーターに送り込まれた後に、このアキュムレーターに設けられた液体吐出孔から前記液体坦持体に供給される。
【００１５】
ここで、前記液体供給路に送り込まれる液体が、一旦、前記アキュムレーターに保持されることにより、前記ポンプの脈動に起因した前記液体の圧力変動が、前記アキュムレーターにおいて緩和され、これによって、前記液体吐出孔から前記液体坦持体へ供給される液体の供給量も均一なものとなる。
【００１６】
したがって、前記液体坦持体に含浸させられる液体の分布も均一なものとなり、この液体坦持体における気化量が安定化し、空間に放出される抗菌性物質との混合気の組成も均一なものとなり、安定した除菌消臭効果を得ることができる。
【００１７】
そして、前記液体吐出孔を、前記気化手段の液体坦持体の上方に間隔をおいて対峙させることにより、前記液体を前記液体坦持体へ滴下させて供給し、あるいは、前記液体吐出孔を、前記液体坦持体に接触させておいて、前記液体を前記液体坦持体に直接供給させることができる。
【００１８】
前者の供給方法であると、前記ポンプによって設定された供給量に基づいた供給が可能となり、後者の供給方法であると、前記液体坦持体自体の毛細管作用により、前記液体の連続した供給が可能となる。
【００１９】
また、前記液体吐出孔は、前記アキュムレーターを中空容器とし、その壁部に貫通孔を穿設することによって形成することができ、あるいは、前記アキュムレーターを、一部が開口された中空状の基体と、この基体の開口部に取り付けられて、この開口部を閉塞する蓋体とによって構成し、この蓋体の周縁部に切り欠きを設け、この切り欠きと前記基体の壁面とで、前記液体吐出孔を形成することができる。
【発明の効果】
【００２０】
本発明によれば、前記液体供給路に送り込まれる液体を、一旦、前記アキュムレーターに保持させることにより、このアキュムレーターにおいて、前記ポンプの脈動に起因した前記液体の圧力変動を緩和し、これによって、前記液体の前記液体坦持体への供給量を安定させるとともに、この液体坦持体における気化量を安定させ、この結果、空間に放出される抗菌性物質との混合気の組成を均一なもとして安定した除菌消臭効果を得ることができる。
【図面の簡単な説明】
【００２１】
【図１】本発明の一実施形態を示す側面図である。
【図２】本発明の一実施形態を示す正面図である。
【図３】本発明の一実施形態を示す背面図である。
【図４】本発明の一実施形態を示す縦断面側面図である。
【図５】本発明の一実施形態のタンクを示すもので、上面を取り除いた状態を示す外観斜視図である。
【図６】本発明の一実施形態の収納ボックスを示す外観斜視図である。
【図７】本発明の一実施形態の気化手段を示す分解斜視図である。
【図８】本発明の一実施形態の液体供給手段の要部を示す分解斜視図である。
【図９】本発明の一実施形態の液体供給手段を示すもので、アキュムレーターの分解斜視図である。
【図１０】本発明の一実施形態の液体供給手段を示すもので、アキュムレーターの止着構造を説明するための拡大図である。
【図１１】本発明の一実施形態の液体供給手段を示すもので、アキュムレーターの止着構造を説明するための拡大図である。
【図１２】本発明の一実施形態の気化手段を示すもので、液体坦持体と液体供給手段との配置関係を示す外観斜視図である。
【図１３】本発明の一実施形態を示すもので、液体供給手段による液体の供給形態を示す拡大図である。
【発明を実施するための形態】
【００２２】
以下、本発明の一実施形態について図面を参照して説明する。
図１において符号１で示す本実施形態に係わる空間除菌装置は、空間Ａに抗菌性物質を放出し、この抗菌性物質によって前記空間の除菌を行なうようにした空間除菌装置であって、筐体２と、この筐体２に設けられ、気体の吸気部３ａと吐出部３ｂとを備えた気体流路３と、この気体流路３の途中に設けられ、この気体流路３に、気流を発生させる送風手段４と、前記気体流路３に設けられ、液体Ｌ（図４参照）」を気化させる気化手段５と、および、前記抗菌性物質が吸着された抗菌性物質坦持体Ｔ（図４参照）を収納する抗菌剤収納手段６とを備え、前記気体流路３の吐出部３ｂには、この吐出部３ｂ前方に空間部Ｂを形成するカバー７が形成され、このカバー７には、前記空間部Ｂ内の気体を前記空間Ａへ放出する気体放出孔７ａが形成され、前記気流により、前記気化された液体と前記抗菌性物質坦持体Ｔから放出される前記抗菌性物質とを、前記カバー７の空間部Ｂから前記気体放出孔７ａを経て前記空間Ａに放出するようになされている。
【００２３】
ついで、これらの詳細について説明すれば、本実施形態においては、前記気化手段５が、通気性および保液性を有する液体坦持体８と、この液体坦持体８に前記液体Ｌを供給して保持させる液体供給手段９とによって構成され、前記液体坦持体８に前記気流を透過させることにより、前記液体坦持体８に保持された液体Ｌを気化させるようになっている。
【００２４】
前記抗菌性物質坦持体Ｔは、通気性を有する収納袋１０内に充填され、前記抗菌剤収納手段６が、前記収納袋１０が内装される収納ボックス１１からなり、この収納ボックス１１の一側面が、図１および図４に示すように、前記送風手段４に対向配置されているとともに、図６に示すように、前記側面に前記気流を内部へ導く多数の通気口１１ａが千鳥状に配置され、かつ、前記収納ボックス１１の前記気流の下流側の端面に、前記気体流路３に開口する拡散口１１ｂが形成されている。
【００２５】
また、前記収納ボックス１１は、その両側部にピンＰがそれぞれ突設されており、これらのピンＰを介して、前記筐体２の前記気体流路３の内壁に沿って着脱可能に吊設されるようになっている。
これによって、前記収納ボックス１１は、前記気体流路３の吐出部３ｂを介して着脱可能となされており、取り外した状態において、その内部の収納袋１０の取り替えが行なえるようになっている。
【００２６】
前記液体供給手段９は、本実施形態においては、図４に示すように、前記液体Ｌを貯留するタンク１２と、このタンク１２内に設置され、前記液体Ｌを前記液体坦持体８へ向けて送り込むポンプ１３と、このポンプ１３と前記液体坦持体８との間に設けられた液体供給路を構成する液体供給パイプ１４と、この液体供給パイプ１４の下流側の端部に設けられて、前記液体Ｌを前記液体坦持体８に含浸させる液体吐出孔１５（図８なし図１１参照）とを備えている。
【００２７】
また、前記液体供給パイプ１４の途中には、図８に示すように、複数のアキュムレーター１６が設けられ、これらのアキュムレーター１６に前記液体吐出孔１５が形成されている。
【００２８】
前記アキュムレーター１６は、図９に示すように、有底筒状の本体１６ａと、この本体１６ａの開口部を覆うように取り付けられる蓋体１６ｂとによって構成され、前記蓋体１６ｂの周縁部に、その外周から中心部へ向けて所定長さの切り欠きが形成され、この蓋体１６ｂを前記本体１６ａに取り付けた状態において、前記切り欠きと前記本体１６ａの内壁とで前記液体吐出孔１５が形成されるようになっている。
【００２９】
前記アキュムレーター１６を構成する前記本体１６ａの底部中央および蓋体１６ｂの中央には、それぞれ、前記液体供給パイプ１４が嵌合固着される連結突起１６ｃが一体に設けられている。
【００３０】
さらに、前記アキュムレーター１６は、図８、図１０および図１１に示すように、前記筐体２の内部に取り付けられるステー１７に、クリップ１８を介して着脱可能に取り付けられるようになっており、このように前記ステー１７ｂに取り付けられた状態において、図１２および図１３に示すように、前記液体坦持体８の上端部に所定間隔で対峙させられるようになっている。
【００３１】
前記気化手段５を構成する前記液体坦持体８は、不織布等の通気性を有し含液性を有する材料によって、図７に示すように、矩形状に形成されており、前記筐体２の気体流路３内に、この気体流路３を遮るように着脱可能に取り付けられる枠体１９内に装着され、この枠体１９とともに前記筐体２内に着脱可能に装着されるようになっている。
【００３２】
前記枠体１９は、その内部に装着される前記液体坦持体８の両側部および下部を拘束して保持するようになっており、前記筐体２から取り外した状態において、前記液体坦持体８の交換が行なえるようになっている。
【００３３】
また、本実施形態においては、前記タンク１２が、図５に示すように、その底部に、この底部内面１２ａよりも下方に位置する液溜まり部２０が形成され、前記タンク１２の底部内面１２ａが、前記液溜まり部２０に向けて下方へ傾斜して形成されており、前記ポンプ１３が、その吸引部が前記液溜まり部２０に位置するように配置されている。
【００３４】
さらに、本実施形態における前記カバー７は、断面が略半円状となされ、その外周縁に全周にわたって鍔部７ｂが連設されている（図１および図２参照）。
【００３５】
そして、前記カバー７は、前記鍔部７ｂと前記筐体２との間にこれらを回動可能に連結する蝶番（図示略）を介して前記筐体２に回動可能に取り付けられているとともに、その回動端部において、磁石等の固定部材によって前記筐体２に固定されることにより、前記気体流路３の吐出部３ｂを閉塞した状態に保持するようになっている。
【００３６】
前記カバー７は、前述した吐出部３ｂを閉塞した状態において、この吐出部３ｂを、図４に示すように、前記多数の気体放出孔７ａを介して前記空間Ａへ連通させるとともに、前記吐出部３ｂの前方に空間部Ｂを形成するようになっている。
【００３７】
図１ないし図４において符号２１は、前記筐体２の下部に取り付けられて、この筐体２を支持するキャスターを示し、このキャスター２１は、本実施形態においては４個取り付けられており、それらの２個以上には、このキャスター２１の動きを拘束するブレーキ２２が設けられている。
【００３８】
また、符号２３はハンドルを示し、前記筐体２に一体に取り付けられて、この筐体２の移動の際に把手として利用される。
そして、このハンドル２３は、本実施形態の空間除菌装置１の設置を完了した時点で、前記筐体２内に収納するか、あるいは、筐体２の側部に折り畳む構成とすることが好ましい。
【００３９】
一方、前記気体流路３の吸気部３ａには、前記気体流路３内への粉塵等の侵入を防止するフィルター２４が着脱可能に装着されている。
【００４０】
また、符号２５は、前記送風手段４やポンプ１３の駆動を制御するコントロールユニットを示し、前記送風手段４における送風量の調整や、前記液体供給手段９における液体供給量の調整を行なうようになっており、このコントロールユニット２５へ駆動信号を出力するコントロールパネルが前記筐体２の上面に装着されている（図示略）。
【００４１】
そして、本実施形態においては、前記抗菌性物質として、二酸化塩素が用いられ、この二酸化塩素を、セピオライトからなる多孔性の微粒子（平均粒径０．１ｍｍ）に物理的に吸着、担持させて前記抗菌剤坦持体とし、この抗菌剤坦持体を前記収納袋１０に充填し、この収納袋１０を前記収納ボックス１１に挿入することによって前記抗菌剤収納手段６が構成されている。
【００４２】
前記液体Ｌは、たとえば、加湿のための水、あるいは、水に前記二酸化塩素を溶解させた二酸化塩素水が用いられる。
【００４３】
さらに、前記タンク１２には、図１に示すように、このタンク１２内に前記液体Ｌを補給するための給水口２６と、前記液体Ｌの貯留量を表示する残量計２７が設けられ、さらに、前記液溜まり部２０の下部には、ドレン２８が設けられている。
【００４４】
このように構成された本実施形態に係わる空間除菌装置１は、前記液体坦持体８を前記枠体１９に装着するとともに、前記抗菌剤坦持体が充填された収納袋１０を収納ボックス１１に装着して、これらを、前記カバー７を開放方向に回動させることによって開放された前記気体流路３の吐出部３ｂから挿入し、前記気体流路３内にセットする。
【００４５】
これより、前記カバー７を閉じた後に、前記送風手段４および液体供給手段９へ前記コントロールユニット２５より諸制御信号を送出することにより、前記空間除菌装置１が起動され、前記液体Ｌおよび抗菌性物質の混合気体を空間Ａへ放出して、この空間Ａの除菌を行なうことができる。
【００４６】
すなわち、前記液体供給手段９が起動されると、前記ポンプ１３によって液体Ｌが吸引され、この液体Ｌが前記液体供給パイプ１４および前記アキュムレーター１６を介して液体吐出孔１５へ送り込まれ、さらに、この液体吐出孔１５から、その下方に位置する前記液体坦持体８へ滴下供給される。
【００４７】
ここで、前記液体吐出孔１５へ送り込まれる前記液体Ｌは、前記液体供給パイプ１４から、一旦、アキュムレーター１６に貯留されるため、前記ポンプ１３の吐出圧に脈動が生じた場合にあっても、その圧力の脈動が、前記アキュムレーター１６において緩和され、この結果、前記液体吐出孔１５における液体Ｌの吐出圧が安定し、前記液体坦持体８への供給量も安定する。
【００４８】
このようにして前記液体坦持体８に供給された前記液体Ｌは、一旦、前記液体坦持体８に保持されるが、この液体坦持体８を、前記送風手段４から送り込まれる気流が透過させられることにより、前記液体坦持体８に保持されている前記液体Ｌが気化されて、この気化液が前記気体流路３の吐出部３ｂへ向けて送り込まれる。
【００４９】
そして、前記液体坦持体８に供給される前記液体Ｌの供給量が安定していることにより、この液体坦持体８に含浸させられた液体Ｌの分布も均一なものとなり、この結果、前記液体坦持体８において生成される気化液の濃度も安定する。
【００５０】
一方、前記気流は、前記送風手段４に対向配置されている前記抗菌剤収納手段６に当接させられるとともに、前記収納ボックス１１に形成されている千鳥状の多数の通気口１１ａからその内部に侵入し、内部の収納袋１０に充填されている抗菌性物質坦持体に振動を与えて抗菌性物質を放出させる。
【００５１】
このように放出された抗菌性物質、本実施形態においては、二酸化塩素ガスは、前記収納ボックス１１内に侵入した気流とともに、前記収納ボックス１１の拡散口１１ｂを経て前記気体流路３へ流れ込み、この気体流路３内を流れる前記気化液と混合される。
【００５２】
前述したように、前記気化液の濃度が均一であることから、生成される混合気の濃度も安定したものとなる。
【００５３】
このようにして混合された気化液と抗菌性物質との混交気体は、前記気体流路３の前記吐出口３ｂから前記カバー７内に形成されている空間部Ｂへ送り込まれた後に、前記カバー７に形成されている多数の気体放出孔７ａを介して前記空間Ａへ放出拡散させられる。
【００５４】
ここで、前記混合気体が前記気体放出孔７ａを通過する際に抵抗を受けることによりその流量が調整され、余剰の混合気体が前記カバー７内の空間部Ｂに滞留させられる。
【００５５】
また、前記混合気体の流れが前記気体放出孔７ａによって絞り込まれることにより、前記混合気体の流速が高められる。
【００５６】
したがって、前記混合気体の過剰な放出が抑制され、特に、前記抗菌性物質の放出量が適正な量に調整されて過剰な消費が抑えられ、これによって、前記抗菌性物質が吸着された抗菌性物質坦持体の交換頻度を低くして維持管理を容易にし、かつ、その費用を低減することができる。
【００５７】
かつ、前記混合気体の流速が高められることによって、前記混合気体の放出距離が長くなり、その拡散範囲が拡大され、広範囲にわたって除菌作用を行なうことができ、また、前述したように、前記混合気体の濃度が均一化されていることにより、安定した除菌消臭効果を得ることができる。
【００５８】
なお、前記実施形態において示した、各構成部材の諸形状や配置、あるいは、寸法等は一例であって、設計要求等に基づき種々変更可能である。
【００５９】
たとえば、前記液体Ｌを前記液体坦持体８に滴下によって供給する例について示したが、前記液体供給手段９と前記液体坦持体８とを接触させておくことにより、前記液体Ｌを前記液体坦持体８に直接供給するようにしてもよい。
【００６０】
また、前記アキュムレーター１６を中空容器として、この中空容器の壁に貫通孔を穿設することによって前記液体吐出孔１５を形成することもできる。
【符号の説明】
【００６１】
１空間除菌装置
２  筐体
３  気体流路
３ａ  吸気部
３ｂ  吐出部
４  送風手段
５  気化手段
６  抗菌剤収納手段
７  カバー
７ａ  気体放出孔
７ｂ  鍔部
８  液体坦持体
９  液体供給手段
１０  収納袋
１１  収納ボックス
１１ａ  通気口
１１ｂ  拡散口
１２  タンク
１２ａ  底部内面
１３  ポンプ
１４  液体供給パイプ（液体供給路）
１５  液体吐出孔
１６  アキュムレーター
１６ａ  本体
１６ｂ  蓋体
１６ｃ  連結突起
１７  ステー
１８  クリップ
１９  枠体
２０  液溜まり部
２１  キャスター
２２  ブレーキ
２３  ハンドル
２４  フィルター
２５  コントロールユニット
２６  給水口
２７  残量計
２８  ドレン
Ａ  空間
Ｂ  空間部
Ｌ  液体
Ｐ  ピン
Ｔ  抗菌性物質坦持体
【図１】
2015066034.tif 000003
【図２】
2015066034.tif 000004
【図３】
2015066034.tif 000005
【図４】
2015066034.tif 000006
【図５】
2015066034.tif 000007
【図６】
2015066034.tif 000008
【図７】
2015066034.tif 000009
【図８】
2015066034.tif 000010
【図９】
2015066034.tif 000011
【図１０】
2015066034.tif 000012
【図１１】
2015066034.tif 000013
【図１２】
2015066034.tif 000014
【図１３】
2015066034.tif 000015